(57)【要約】    【課題】      マルチパス伝搬による無線信号の劣化を十分に軽減することができる移動通信システムを提供すること。    【解決手段】  無線基地局１０１は、移動局１０４からの送信信号の受信状況を通信制御装置１０３に報知する受信状況報知部１０１１を具備する。移動局１０４は、無線基地局１０１からの送信信号の受信状況を通信制御装置１０３に報知する受信状況報知部１０４１を具備する。通信制御装置１０３は、受信状況報知部１０１１、１０４１からの前記受信状況を受信する受信状況受信部１０３１と、受信状況受信部１０３１が受信する前記受信状況に基づいて電波反射装置１０２の電波反射板１０２１の電波の反射角を制御する反射角制御部１０３２と、を具備する。  【選択図】      図２
2006295543.tif 000002
【特許請求の範囲】
【請求項１】
無線基地局と、所定位置に配置され電波を反射する電波反射板を有する電波反射装置と、前記無線基地局及び前記電波反射装置を制御する通信制御装置と、前記無線基地局と無線で通信を行う移動局と、を具備する移動通信システムにおいて、
前記無線基地局は、前記移動局からの送信信号の受信状況を前記通信制御装置に報知する第１の受信状況報知手段を具備し、
前記移動局は、前記無線基地局からの送信信号の受信状況を前記通信制御装置に報知する第２の受信状況報知手段を具備し、
前記通信制御装置は、前記第１及び第２の受信状況報知手段からの前記受信状況を受信する受信状況受信手段と、前記受信状況受信手段が受信する前記受信状況に基づいて前記電波反射装置の前記電波反射板の電波の反射角を制御する反射角制御手段と、を具備することを特徴とする移動通信システム。
【請求項２】
無線基地局と、所定位置に配置され電波を反射する電波反射板を有する電波反射装置と、前記無線基地局及び前記電波反射装置を制御する通信制御装置と、前記無線基地局と無線で通信を行う移動局と、を具備する移動通信システムにおいて、
前記無線基地局は、前記移動局からの送信信号の受信状況を前記通信制御装置に報知する第１の受信状況報知手段を具備し、
前記移動局は、前記無線基地局からの送信信号の受信状況を前記通信制御装置に報知する第２の受信状況報知手段を具備し、
前記通信制御装置は、前記第１及び第２の受信状況報知手段からの前記受信状況を受信する受信状況受信手段と、前記受信状況受信手段が受信する前記受信状況に基づいて前記電波反射装置の前記電波反射板の電波の反射角を制御する反射角制御手段と、を具備し、
前記電波反射装置は、前記無線基地局及び前記移動局からの電波を中継する電波中継手段と、指向特性を電子制御可能なアンテナと、前記通信制御装置からの指向特性指示信号に基づいて前記アンテナの指向特性を制御する指向特性制御手段と、を具備し、
前記通信制御装置は、前記受信状況受信手段が受信する前記受信状況に基づいて前記アンテナの指向特性を指示する前記指向特性指示信号を生成して前記指向特性制御手段に与える指向特性指示手段を具備することを特徴とする移動通信システム。
【請求項３】
無線基地局と、所定位置に配置され電波を反射する電波反射板を有する電波反射装置と、前記無線基地局及び前記電波反射装置を制御する通信制御装置と、前記無線基地局と無線で通信を行う移動局と、を具備する移動通信システムにおいて、
前記無線基地局は、前記移動局からの送信信号の受信状況を前記通信制御装置に報知する第１の受信状況報知手段を具備し、
前記移動局は、前記無線基地局からの送信信号の受信状況を前記通信制御装置に報知する第２の受信状況報知手段を具備し、
前記通信制御装置は、前記第１及び第２の受信状況報知手段からの前記受信状況を受信する受信状況受信手段と、前記受信状況受信手段が受信する前記受信状況に基づいて前記電波反射装置の前記電波反射板の電波の反射角を制御する反射角制御手段と、を具備し、
前記電波反射装置は、前記無線基地局及び前記移動局からの電波を中継する電波中継手段と、前記無線基地局及び前記移動局からの電波である信号の強度を検出して信号強度検出値を生成する信号強度検出手段と、前記信号強度検出手段により検出された前記信号強度検出値を前記通信制御装置に報知する信号強度報知手段と、前記無線基地局及び前記移動局からの前記信号の位相を検出して信号位相検出値を生成する信号位相検出手段と、前記信号位相検出手段により検出された前記信号位相検出値を前記通信制御装置に報知する信号位相報知手段と、を具備し、
前記通信制御装置は、前記第１及び第２の受信状況報知手段からの前記受信状況と前記信号強度報知手段からの前記信号強度検出値と前記信号位相報知手段からの前記信号位相検出値とを受信する受信状況受信手段と、前記受信状況受信手段が受信する前記受信状況に基づいて前記電波反射装置の前記電波反射板の電波の反射角を制御する反射角制御手段と、前記受信状況受信手段が受信する前記信号強度検出値に基づいて信号強度を制御する信号強度制御手段と、前記受信状況受信手段が受信する前記信号位相検出値に基づいて信号の位相を制御する信号位相制御手段と、を具備することを特徴とする移動通信システム。
【発明の詳細な説明】
【技術分野】
【０００１】
本発明は、移動する移動局と無線基地局とが無線で通信を行う移動通信システムに関する。
【背景技術】
【０００２】
従来の移動通信システムとして、特許文献１に記載されたものがある。この従来の移動通信システムは、無線基地局に設けられた指向性アンテナの指向性を移動局からの信号に基づいて制御することにより、移動局から伝送経路を経て無線基地局に到達する電波を直接波のみに限定するものである。  
【特許文献１】特開平９−１９１２８５号公報
【発明の開示】
【発明が解決しようとする課題】
【０００３】
しかしながら、従来の移動通信システムにおいては、直接波にもマルチパス伝搬による他の信号の干渉があるため、マルチパス伝搬による無線信号の劣化を十分に軽減することができないから、受信信号の強度が時々刻々と変化するという問題がある。
【０００４】
本発明は、マルチパス伝搬による無線信号の劣化を十分に軽減することができる移動通信システムを提供することを目的とする。
【課題を解決するための手段】
【０００５】
本発明の第１のものに係る移動通信システムは、無線基地局と、所定位置に配置され電波を反射する電波反射板を有する電波反射装置と、前記無線基地局及び前記電波反射装置を制御する通信制御装置と、前記無線基地局と無線で通信を行う移動局と、を具備する移動通信システムにおいて、前記無線基地局が、前記移動局からの送信信号の受信状況を前記通信制御装置に報知する第１の受信状況報知手段を具備し、前記移動局が、前記無線基地局からの送信信号の受信状況を前記通信制御装置に報知する第２の受信状況報知手段を具備し、前記通信制御装置が、前記第１及び第２の受信状況報知手段からの前記受信状況を受信する受信状況受信手段と、前記受信状況受信手段が受信する前記受信状況に基づいて前記電波反射装置の前記電波反射板の電波の反射角を制御する反射角制御手段と、を具備する構成を採る。
【０００６】
この構成によれば、受信信号の強度が時々刻々と変化してもこの変化に追従して無線基地局及び移動局の受信状況が良くなるように反射角制御信号を生成して電波反射板を移動させて電波反射板が電波を反射する反射角を制御するため、マルチパス伝搬による無線信号の劣化を十分に軽減することができる。
【０００７】
本発明の第２のものに係る移動通信システムは、無線基地局と、所定位置に配置され電波を反射する電波反射板を有する電波反射装置と、前記無線基地局及び前記電波反射装置を制御する通信制御装置と、前記無線基地局と無線で通信を行う移動局と、を具備する移動通信システムにおいて、前記無線基地局は、前記移動局からの送信信号の受信状況を前記通信制御装置に報知する第１の受信状況報知手段を具備し、前記移動局が、前記無線基地局からの送信信号の受信状況を前記通信制御装置に報知する第２の受信状況報知手段を具備し、前記通信制御装置が、前記第１及び第２の受信状況報知手段からの前記受信状況を受信する受信状況受信手段と、前記受信状況受信手段が受信する前記受信状況に基づいて前記電波反射装置の前記電波反射板の電波の反射角を制御する反射角制御手段と、を具備し、前記電波反射装置が、前記無線基地局及び前記移動局からの電波を中継する電波中継手段と、指向特性を電子制御可能なアンテナと、前記通信制御装置からの指向特性指示信号に基づいて前記アンテナの指向特性を制御する指向特性制御手段と、を具備し、前記通信制御装置が、前記受信状況受信手段が受信する前記受信状況に基づいて前記アンテナの指向特性を指示する前記指向特性指示信号を生成して前記指向特性制御手段に与える指向特性指示手段を具備する構成を採る。
【０００８】
この構成によれば、本発明の第１のものに係る移動通信システムと同様に電波反射板が電波を反射する反射角を制御し、無線基地局及び移動局からの電波（無線信号）を中継し、かつ、アンテナの指向特性を制御することができるため、マルチパス伝搬による無線信号の劣化を十分に軽減することができる。
【０００９】
本発明の第３のものに係る移動通信システムは、無線基地局と、所定位置に配置され電波を反射する電波反射板を有する電波反射装置と、前記無線基地局及び前記電波反射装置を制御する通信制御装置と、前記無線基地局と無線で通信を行う移動局と、を具備する移動通信システムにおいて、前記無線基地局が、前記移動局からの送信信号の受信状況を前記通信制御装置に報知する第１の受信状況報知手段を具備し、前記移動局が、前記無線基地局からの送信信号の受信状況を前記通信制御装置に報知する第２の受信状況報知手段を具備し、前記通信制御装置が、前記第１及び第２の受信状況報知手段からの前記受信状況を受信する受信状況受信手段と、前記受信状況受信手段が受信する前記受信状況に基づいて前記電波反射装置の前記電波反射板の電波の反射角を制御する反射角制御手段と、を具備し、前記電波反射装置が、前記無線基地局及び前記移動局からの電波を中継する電波中継手段と、前記無線基地局及び前記移動局からの電波である信号の強度を検出して信号強度検出値を生成する信号強度検出手段と、前記信号強度検出手段により検出された前記信号強度検出値を前記通信制御装置に報知する信号強度報知手段と、前記無線基地局及び前記移動局からの前記信号の位相を検出して信号位相検出値を生成する信号位相検出手段と、前記信号位相検出手段により検出された前記信号位相検出値を前記通信制御装置に報知する信号位相報知手段と、を具備し、前記通信制御装置が、前記第１及び第２の受信状況報知手段からの前記受信状況と前記信号強度報知手段からの前記信号強度検出値と前記信号位相報知手段からの前記信号位相検出値とを受信する受信状況受信手段と、前記受信状況受信手段が受信する前記受信状況に基づいて前記電波反射装置の前記電波反射板の電波の反射角を制御する反射角制御手段と、前記受信状況受信手段が受信する前記信号強度検出値に基づいて信号強度を制御する信号強度制御手段と、前記受信状況受信手段が受信する前記信号位相検出値に基づいて信号の位相を制御する信号位相制御手段と、を具備する構成を採る。
【００１０】
この構成によれば、本発明の第１のものに係る移動通信システムと同様に電波反射板が電波を反射する反射角を制御し、受信状況受信部が受信する信号強度検出値に基づいて信号強度を制御し、かつ、受信状況受信が受信する信号位相検出値に基づいて信号の位相を制御するため、マルチパス伝搬による無線信号の劣化を十分に軽減することができる。
【発明の効果】
【００１１】
本発明によれば、マルチパス伝搬による無線信号の劣化を十分に軽減することができる。
【発明を実施するための最良の形態】
【００１２】
次に、本発明の実施の形態について、図面を参照して詳細に説明する。
【００１３】
（実施の形態１）
図１は、本発明の実施の形態１に係る移動通信システムを示す概略構成図である。図２は、本発明の実施の形態１に係る移動通信システムを示すブロック図である。
【００１４】
図１に示すように、本発明の実施の形態１に係る移動通信システム１００は、無線基地局１０１、複数の電波反射装置１０２、通信制御装置１０３及び複数の移動局１０４を具備している。
【００１５】
電波反射装置１０２は、所定位置に配置され、電波を反射する電波反射板を有している。移動局１０４は、無線基地局１０１と無線で通信を行う。移動局１０４は、無線基地局１０１と無線で通信を行う時に、無線基地局１０１からの直接波、電波反射装置１０２からの反射波、及び、建物１０５などからの反射波を受ける。
【００１６】
通信制御装置１０３は、無線基地局１０１及び電波反射装置１０２と信号線で接続されており、無線基地局１０１及び電波反射装置１０２を制御する。
【００１７】
図２に示すように、無線基地局１０１は、移動局１０４と無線で通信を行う通信装置を有し、かつ、受信状況報知部１０１１を有している。受信状況報知部１０１１は、移動局１０４からの送信信号の受信状況を通信制御装置１０３に報知する。
【００１８】
移動局１０４は、無線基地局１０１と通信を行う通信装置を有し、かつ、受信状況報知部１０４１を有している。受信状況報知部１０４１は、無線基地局１０１からの送信信号の受信状況を通信制御装置１０３に報知する。
【００１９】
通信制御装置１０３は、受信状況受信部１０３１及び反射角制御部１０３２を有している。受信状況受信部１０３１は、受信状況報知部１０１１及び受信状況報知部１０４１からの受信状況を受信する。反射角制御部１０３２は、受信状況受信部１０３１が受信する受信状況に基づいて電波反射装置１０２の電波反射板１０２１の電波の反射角を制御するための反射角制御信号を生成して電波反射装置１０２に与える。
【００２０】
電波反射装置１０２は、電波反射板１０２１及び反射板駆動装置１０２２を具備している。反射板駆動装置１０２２は、反射角制御部１０３２からの反射角制御信号を受けて電波反射板を移動させて電波反射板１０２１が電波を反射する反射角を制御する。
【００２１】
この場合に、通信制御装置１０３の反射角制御部１０３２は、受信状況受信部１０３１が受信する受信状況に基づいて、無線基地局１０１及び移動局１０４の受信状況が良くなるように反射角制御信号を生成して電波反射装置１０２に与える。
【００２２】
なお、本発明の実施の形態１に係る移動通信システム１００は、１つの電波反射装置１０２を有してもよく、また、３以上の電波反射装置１０２を有してもよい。
【００２３】
本発明の実施の形態１においては、受信信号の強度が時々刻々と変化してもこの変化に追従して無線基地局１０１及び移動局１０４の受信状況が良くなるように反射角制御信号を生成して電波反射板１０２１を移動させて電波反射板１０２１が電波を反射する反射角を制御するため、マルチパス伝搬による無線信号の劣化を十分に軽減することができる。
【００２４】
（実施の形態２）
次に、本発明の実施の形態２について、図面を参照して詳細に説明する。
【００２５】
図３は、本発明の実施の形態２に係る移動通信システムを示すブロック図である。本発明の実施の形態２においては、本発明の実施の形態１と同じ構成要素には同じ参照符合が付されてそれらの説明が省略される。
【００２６】
図３に示すように、本発明の実施の形態２に係る移動通信システム３００は、本発明の実施の形態１に係る移動通信システム１００において、複数の電波反射装置１０２及び通信制御装置１０３の代わりに複数の電波反射装置３０１及び通信制御装置３０２を具備する。
【００２７】
すなわち、本発明の実施の形態２に係る移動通信システム３００は、無線基地局１０１、複数の電波反射装置３０１、通信制御装置３０２及び複数の移動局１０４を具備している。
【００２８】
通信制御装置３０２は、受信状況受信部１０３１、反射角制御部１０３２及び指向特性指示部３０２１を有している。受信状況受信部１０３１は、受信状況報知部１０１１及び受信状況報知部１０４１からの受信状況を受信する。反射角制御部１０３２は、受信状況受信部１０３１が受信する受信状況に基づいて電波反射装置１０２の電波反射板１０２１の電波の反射角を制御するための反射角制御信号を生成して電波反射装置１０２に与える。
【００２９】
指向特性指示部３０２１は、受信状況受信部１０３１が受信する受信状況に基づいて、電波反射装置３０１のアンテナ３０１１の指向特性を指示する指向特性指示信号を生成して電波反射装置３０１に与える。電波反射装置３０１は、電波反射板１０２１、反射板駆動装置１０２２、アンテナ３０１１、送受信切換部３０１２、受信部３０１３、送信部３０１４、中継制御部３０１５及び指向特性制御部３０１６を具備している。
【００３０】
アンテナ３０１１は、指向特性を電子制御可能なものである。アンテナ３０１１は、相手の移動局などの通信装置からの送信信号を受けて受信信号を生成して送受信切換部３０１２に与える。送受信切換部３０１２は、アンテナ３０１１からの受信信号を受信部３０１３に送る。また、送受信切換部３０１２は、送信部３０１４からの送信信号をアンテナ３０１１に送る。アンテナ３０１１は、送信部３０１４からの送信信号を送受信切換部３０１２を介して受けて無線送信信号を生成して無線基地局１０１に送信する。
【００３１】
中継制御部３０１５は、送受信切換部３０１２からの情報を受けて送受信切換部３０１２、受信部３０１３及び送信部３０１４を制御する。送受信切換部３０１２、受信部３０１３、送信部３０１４及び中継制御部３０１５は、無線基地局１０１及び移動局１０４からの電波（無線信号）を中継する電波中継ユニットを構成している。
【００３２】
指向特性制御部３０１６は、通信制御装置３０２の指向特性指示部３０２１からの指向特性指示信号を受けて、この指向特性指示信号に基づいたアンテナの指向特性を制御する。
【００３３】
本発明の実施の形態２においては、本発明の実施の形態１と同様に電波反射板１０２１が電波を反射する反射角を制御し、無線基地局１０１及び移動局１０４からの電波（無線信号）を中継し、かつ、アンテナの指向特性を制御することができるため、マルチパス伝搬による無線信号の劣化を十分に軽減することができる。
【００３４】
（実施の形態３）
次に、本発明の実施の形態３について、図面を参照して詳細に説明する。
【００３５】
図４は、本発明の実施の形態３に係る移動通信システムを示すブロック図である。本発明の実施の形態３においては、本発明の実施の形態２と同じ構成要素には同じ参照符合が付されてそれらの説明が省略される。
【００３６】
図４に示すように、本発明の実施の形態３に係る移動通信システム４００は、本発明の実施の形態２に係る移動通信システム３００において、複数の電波反射装置３０１及び通信制御装置３０２の代わりに複数の電波反射装置４０１及び通信制御装置４０２を具備し、かつ、指向特性制御部３０１６を削除してなる。
【００３７】
すなわち、本発明の実施の形態３に係る移動通信システム４００は、無線基地局１０１、複数の電波反射装置４０１、通信制御装置４０２及び複数の移動局１０４を具備している。
【００３８】
電波反射装置４０１は、電波反射板１０２１、反射板駆動装置１０２２、アンテナ３０１１、送受信切換部３０１２、受信部３０１３、送信部３０１４、中継制御部３０１５、信号強度検出部４０１１、信号強度報知部４０１２、信号位相検出部４０１３及び信号位相報知部４０１４を具備している。
【００３９】
信号強度検出部４０１１は、無線基地局１０１及び移動局１０４からの電波である信号をアンテナ３０１１及び送受信切換部３０１２を介して受けてこの信号の強度を検出して信号強度検出値を生成する。信号強度報知部４０１２は、信号強度検出部４０１１からの信号強度検出値を通信制御装置４０２に報知する。
【００４０】
信号位相検出部４０１３は、無線基地局１０１及び移動局１０４からの電波である信号をアンテナ３０１１及び送受信切換部３０１２を介して受けてこの信号の位相を検出して信号位相検出値を生成する。信号位相報知部４０１４は、信号位相検出部４０１３からの信号位相検出値を通信制御装置４０２に報知する。
【００４１】
通信制御装置４０２は、受信状況受信部１０３１、反射角制御部１０３２、信号強度制御部４０２１及び信号位相制御部４０２２を具備している。
【００４２】
信号強度制御部４０２１は、受信状況受信部１０３１が受信する信号強度検出値に基づいて信号強度を制御する。信号位相制御部４０２２は、受信状況受信１０３１が受信する信号位相検出値に基づいて信号の位相を制御する。
【００４３】
本発明の実施の形態３においては、本発明の実施の形態１と同様に電波反射板１０２１が電波を反射する反射角を制御し、受信状況受信部１０３１が受信する信号強度検出値に基づいて信号強度を制御し、かつ、受信状況受信部１０３１が受信する信号位相検出値に基づいて信号の位相を制御するため、マルチパス伝搬による無線信号の劣化を十分に軽減することができる。
【産業上の利用可能性】
【００４４】
本発明は、マルチパス伝搬による無線信号の劣化を十分に軽減することができる効果を有し、移動通信システムに有用である。
【図面の簡単な説明】
【００４５】
【図１】本発明の実施の形態１に係る移動通信システムを示す概略構成図
【図２】本発明の実施の形態１に係る移動通信システムの構成を示すブロック図
【図３】本発明の実施の形態２に係る移動通信システムの構成を示すブロック図
【図４】本発明の実施の形態３に係る移動通信システムの構成を示すブロック図
【符号の説明】
【００４６】
１００、３００、４００  移動通信システム
１０１  無線基地局
１０２、３０１、４０１  電波反射装置
１０３、３０２、４０２  通信制御装置
１０４  移動局
１０１１  受信状況報知部
１０２１  電波反射板
１０２２  反射板駆動装置
１０３１  受信状況受信部
１０３２  反射角制御部
１０４１  受信状況報知部
３０１１  アンテナ
３０１２  送受信切換部
３０１３  受信部
３０１４  送信部
３０１５  中継制御部
３０１６  指向特性制御部
３０２１  指向特性指示部
４０１１  信号強度検出部
４０１２  信号強度報知部
４０１３  信号位相検出部
４０１４  信号位相報知部
４０２１  信号強度制御部
４０２２  信号位相制御部
【図１】
2006295543.tif 000003
【図２】
2006295543.tif 000004
【図３】
2006295543.tif 000005
【図４】
2006295543.tif 000006